(57)【要約】【課題】記憶部の仕様を容易に変更することができる電子機器を提供する。【解決手段】電子機器１００は、メイン基板２０と、サブ基板３０とから構成され、メイン基板２０とサブ基板３０とはフレキシブル配線板４０を介して接続されている。フレキシブル配線板４０は、コネクタ２０ａをメイン基板２０のコネクタ２０ｂに嵌合することにより電気的に接続される。電子機器１００は、ＮＡＮＤメモリ３１と、ＮＡＮＤメモリ３１に応じて用意されたメモリ制御部３２とを搭載したサブ基板３０を用いることにより、異なる種類の記憶部とその記憶部に対応した記憶制御部を搭載したサブ基板３０を差し替えることで、様々な種類の記憶部の搭載に容易に対応することができる。【選択図】図３
2009048392.tif 000002
【特許請求の範囲】
【請求項１】
制御部を有するメイン基板と、
記憶部と、前記記憶部を制御する記憶制御部とを有するサブ基板と、
前記制御部と、前記記憶制御部とを電気的に接続する配線板とを有することを特徴とする電子機器。
【請求項２】
制御部を有するメイン基板と、
記憶部と、前記記憶部を制御する記憶制御部と、電子部品と、前記電子部品を制御する電子部品制御部とを有するサブ基板と、
前記制御部と、前記記憶制御部および前記電子部品制御部を並列に接続する配線板とを有することを特徴とする電子機器。
【請求項３】
前記配線板は、ＡＴＡ（Advanced Technology Attachment）バスであることを特徴とする請求項１または２に記載の電子機器。
【請求項４】
前記配線板は、折り曲げ可能なフレキシブル配線板であることを特徴とする請求項１または２に記載の電子機器。
【請求項５】
前記配線板は、折り曲げ可能なフレキシブル配線板であり、
前記メイン基板と、前記サブ基板は対面して配置されることを特徴とする請求項１または２に記載の電子機器。
【請求項６】
前記電子部品は、第２の記憶部であり、
前記電子部品制御部は、前記第２の記憶部を制御する記憶制御部であることを特徴とする請求項２に記載の電子機器。
【請求項７】
前記電子部品は、光学ドライブであり、
前記電子部品制御部は、前記光学ドライブを制御する光学ドライブ制御部であることを特徴とする請求項２に記載の電子機器。
【発明の詳細な説明】
【技術分野】
【０００１】
本発明は、電子機器に関する。
【背景技術】
【０００２】
従来の技術として、記憶部をサブ基板に搭載するとともに、サブ基板をフレキシブル配線板でメイン基板に接続した電子機器がある（例えば、特許文献１）。
【０００３】
この特許文献１の電子機器によると、ＣＰＵ（Central Processing Unit）、Ｉ／Ｏサブシステムチップ等の主要なモジュールを搭載したメイン基板と、記憶部を搭載したサブ基板と、メイン基板とサブ基板とを接続するフレキシブル配線板とを有し、フレキシブル配線板を湾曲させることで、メイン基板とサブ基板を対面させて、カード形状の薄い筐体内に収容することができる。また、異なる性能を有する記憶部を搭載したサブ基板に取り替えることで、容易に電子機器の仕様を変更することができる。
【特許文献１】特開平８−２３１４９号公報
【発明の開示】
【発明が解決しようとする課題】
【０００４】
しかし、従来の電子機器によると、サブ基板に搭載されているのは記憶部のみであり、同種類で記憶容量の異なる記憶部に差し替えることで性能を変更することはできるが、種類の異なる記憶部に差し替えようとすると、記憶部の制御方法が異なるため、記憶部の動作制御を行う機能を有するメイン基板の構成変更が必要となる。
【０００５】
従って、本発明の目的は、記憶部の仕様を容易に変更することができる電子機器を提供することにある。
【課題を解決するための手段】
【０００６】
（１）本発明は上記目的を達成するため、制御部を有するメイン基板と、記憶部と、前記記憶部を制御する記憶制御部とを有するサブ基板と、前記制御部と、前記記憶制御部とを電気的に接続する配線板とを有することを特徴とする電子機器を提供する。
【０００７】
このような構成によれば、記憶部とその記憶部に対応した記憶制御部をサブ基板に搭載したため、異なる種類の記憶部とその記憶部に対応した記憶制御部を搭載したサブ基板を用意して差し替えることで、容易に様々な種類の記憶部の搭載に対応することができる。
【０００８】
（２）また、本発明は上記目的を達成するため、制御部を有するメイン基板と、記憶部と、前記記憶部を制御する記憶制御部と、電子部品と、前記電子部品を制御する電子部品制御部とを有するサブ基板と、前記制御部と、前記記憶制御部および前記電子部品制御部を並列に接続する配線板とを有することを特徴とする電子機器を提供する。
【０００９】
このような構成によれば、記憶部とその記憶部に対応した記憶制御部に加えて、電子部品とその電子部品に対応した電子部品制御部をサブ基板に搭載したため、サブ基板を差し替えることで、容易に様々な種類の記憶部の搭載に対応するとともに、様々な電子部品の搭載に対応することができる。
【発明の効果】
【００１０】
本発明によれば、記憶部の仕様を容易に変更することができる。
【発明を実施するための最良の形態】
【００１１】
以下に、本発明の電子機器の実施の形態を、図面を参照して詳細に説明する。
【００１２】
［第１の実施の形態］
（電子機器の構成）
図１は、本発明の第１の実施の形態に係る電子機器を示す斜視図である。
【００１３】
電子機器１００は、内部にＣＰＵや記憶媒体としてフラッシュメモリまたはＨＤＤ（Hard Disk Drive）等の電子部品を有し、電子機器１００の電源を投入する電源スイッチ１０と、ＵＳＢ（Universal Serial Bus）ケーブルで外部の電子機器と接続して通信可能なＵＳＢ端子１１と、音声を出力するイヤホン１２Ａが接続されるイヤホン端子１２と、電子機器１００を操作する複数のスイッチからなる操作部１３と、ＬＣＤ（Liquid Crystal Display）によって文字や図形等を表示する表示部１４とを有している。また、外部との通信のために、必要に応じて、Ｗｉ−Ｆｉ（Wireless Fidelity）レシーバ等をさらに搭載してもよい。
そして、操作部１３を操作することにより、フラッシュメモリ（またはＨＤＤ）内に記憶された映像データや音声データを再生して、映像を表示部１４に表示するとともに、音声信号をイヤホン端子１２から出力することができる。また、必要に応じてイヤホン端子１２から映像信号と音声信号の両方を出力する構成としてもよい。
【００１４】
図２は、本発明の第１の実施の形態に係る電子機器の内部構成を示す分解斜視図である。
【００１５】
電子機器１００は、内部の部品を格納する上部筐体１００Ａおよび下部筐体１００Ｂとを有し、電子機器１００の内部はフレーム１００Ｃによって上部側と下部側に仕切られる。フレーム１００Ｃの上部側には、ＬＣＤ１４Ａと、ＮＡＮＤメモリ３１およびメモリ制御部３２を裏面に搭載したサブ基板３０とを有し、下部側には、Ｌｉイオン充電池であるバッテリ５０と、ＣＰＵやＲＯＭ等の電子部品を搭載したメイン基板２０とを有する。
【００１６】
メイン基板２０は、電源スイッチ１０と、ＵＳＢ端子１１と、イヤホン端子１２と、ＬＣＤ１４Ａのコネクタ１４ａと接続されるコネクタ１４ｂと、サブ基板３０のコネクタ２０ａと接続されるコネクタ２０ｂと、バッテリ５０のコネクタ５０ａと接続されるコネクタ５０ｂとを有する。
【００１７】
サブ基板３０は、折り曲げ可能なフレキシブル配線板４０の一端にコネクタ２０ａを有し、コネクタ２０ａは、メイン基板２０のコネクタ２０ｂと嵌合して、サブ基板３０とメイン基板２０とを電気的に接続する。サブ基板３０は、フレーム１００Ｃをはさんでメイン基板２０の一部に対面するように配置される。
【００１８】
ＬＣＤ１４Ａは、折り曲げ可能なフレキシブル配線板１４ｃの一端にコネクタ１４ａを有し、コネクタ１４ａは、メイン基板２０のコネクタ１４ｂと嵌合して、ＬＣＤ１４Ａとメイン基板２０とを電気的に接続する。ＬＣＤ１４Ａは、フレーム１００Ｃ上にサブ基板３０と同一面上となるように配置される。また、ＬＣＤ１４Ａは、フレーム１００Ｃをはさんでバッテリ５０と対面するように配置される。
【００１９】
バッテリ５０は、コネクタ５０ａを有し、コネクタ５０ａは、メイン基板２０のコネクタ５０ｂと嵌合することにより電気的に接続され、メイン基板２０に電力を供給する。
【００２０】
図３は、本発明の第１の実施の形態に係る電子機器の構成を示す概略図である。
【００２１】
電子機器１００は、メイン基板２０と、サブ基板３０とで構成され、メイン基板２０とサブ基板３０とはフレキシブル配線板４０を介して接続されている。フレキシブル配線板４０は、コネクタ２０ａをメイン基板２０のコネクタ２０ｂに嵌合することにより電気的に接続される。
【００２２】
メイン基板２０は、各部を制御するＣＰＵ２１と、ＣＰＵ２１の処理情報を一時的に記憶するＲＡＭ（Random Access Memory）２２と、電子機器１００のファームウェアやアプリケーション等のソフトウェアを格納するＲＯＭ（Read Only Memory）２３と、ＬＣＤ１４ａの表示を制御する表示制御部２４と、ＵＳＢ端子１１と接続されて外部と通信するＩ／Ｆ部２５と、イヤホン端子１２に音声信号を出力する音声処理部２６と、操作部１３から入力される操作信号を処理してＣＰＵ２１へ操作情報を出力する操作制御部２７とを有する。コネクタ５０ａ、およびコネクタ５０ｂを介して接続されたバッテリ５０は、図示しない電力供給線を介して電子機器１００の各部へ電力を供給する。
【００２３】
サブ基板３０は、不揮発性のフラッシュメモリである記憶部としてのＮＡＮＤメモリ３１と、ＮＡＮＤメモリ３１を制御するＩＣや電源電圧変換用のＩＣ等を有する記憶制御部としてのメモリ制御部３２を有する。ＣＰＵ２１とメモリ制御部３２は、ＡＴＡ（Advanced Technology Attachment）規格に基づいて接続され、フレキシブル配線板４０は、複数の配線を有するＡＴＡバスである。
【００２４】
（動作）
ＮＡＮＤメモリ３１は、例えば音声ファイルや映像ファイルを格納しており、音声を再生するよう操作部１３に入力があると、操作制御部２７からＣＰＵ２１へ操作信号が送信される。ＣＰＵ２１は、操作信号を受信すると、操作信号に基づいてメモリ制御部３２に所定の音声ファイルへアクセスするようコマンドを送信する。メモリ制御部３２は、コマンドを受信すると、コマンドに基づいてＮＡＮＤメモリ３１から所定の音声ファイルへアクセスして、音声ファイルの内容をＣＰＵ２１へ送信するように、コマンドを変換してＮＡＮＤメモリ３１を動作させる。
【００２５】
ＣＰＵ２１からＮＡＮＤメモリ３１へアクセスする際、そのコマンドの変換処理はＮＡＮＤメモリ３１特有のものであり、ＮＡＮＤメモリ３１を異なる種類の記憶部、例えばコンパクトフラッシュ（登録商標）やＳＤカード等のフラッシュメモリに置き換えた場合は、メモリ制御部３２ではアクセスできない。
【００２６】
つまり、サブ基板３０は、ＮＡＮＤメモリ３１以外に、例えば、コンパクトフラッシュ（登録商標）やＳＤカード等の他のフラッシュメモリを搭載する場合、搭載されたメモリを制御可能なＩＣを用意してメモリ制御部３２として搭載する。
【００２７】
（第１の実施の形態の効果）
上記した第１の実施の形態によると、電子機器１００は、ＮＡＮＤメモリ３１と、ＮＡＮＤメモリ３１に応じて用意されたメモリ制御部３２とを搭載したサブ基板３０を用いることにより、異なる種類の記憶部とその記憶部に対応した記憶制御部を搭載したサブ基板３０を差し替えることで、様々な種類の記憶部の搭載に容易に対応することができる。
【００２８】
〔第２の実施の形態〕
図４は、本発明の第２の実施の形態に係る電子機器の構成を示す概略図である。なお、以下の説明において、第１の実施の形態と同一の構成および機能を有する部分については共通の符号を付している。
【００２９】
サブ基板３０は、フラッシュメモリであるＮＡＮＤメモリ３１Ａと、ＮＡＮＤメモリ３１Ａを制御するＩＣや電源電圧変換用のＩＣ等を有するメモリ制御部３２Ａと、フラッシュメモリであるコンパクトフラッシュ（登録商標）３１Ｂと、コンパクトフラッシュ（登録商標）３１Ｂを制御するＩＣを含むメモリ制御部３２Ｂとを有する。ＣＰＵ２１と、メモリ制御部３２Ａおよびメモリ制御部３２Ｂは、ＡＴＡ規格に基づいて１つのバスに並列に接続される。
【００３０】
（動作）
ＣＰＵ２１は、１つのＡＴＡバスを用いて、並列に接続されたＮＡＮＤメモリ３１Ａ、およびコンパクトフラッシュ（登録商標）３１Ｂに、それぞれ独立にアクセスする。アクセスする際、ＣＰＵ２１は、メモリ制御部３２Ａ、およびメモリ制御部３２Ｂへコマンドを送信し、メモリ制御部３２Ａは、ＮＡＮＤメモリ３１Ａ用にコマンドを変換し、メモリ制御部３２Ｂは、コンパクトフラッシュ（登録商標）用にコマンドを変換する。
【００３１】
（第２の実施の形態の効果）
上記した第２の実施の形態によると、電子機器１００は、ＮＡＮＤメモリ３１Ａと、ＮＡＮＤメモリ３１Ａに応じて用意されたメモリ制御部３２Ａと、コンパクトフラッシュ（登録商標）３１Ｂと、コンパクトフラッシュ（登録商標）３１Ｂに応じて用意されたメモリ制御部３２Ａとを搭載したサブ基板３０を用いることにより、サブ基板３０を差し替えることで、複数の種類のメモリ搭載に対応することができる。
【００３２】
なお、ＮＡＮＤメモリ３１Ａ、およびコンパクトフラッシュ（登録商標）３１Ｂは、メモリ本体の代わりにメモリスロットやメモリコネクタターミナル等の接続部を設けて、ＮＡＮＤメモリ３１Ａ、およびコンパクトフラッシュ（登録商標）３１Ｂ本体は後付にしてもよい。
【００３３】
なお、サブ基板３０は、メモリの他、光学ドライブ等の電子部品を、例えばコンパクトフラッシュ（登録商標）３１Ｂの代わりに搭載することもできる。その際、メモリ制御部３２Ｂは、搭載された光学ドライブを制御可能なＩＣを搭載する。
【図面の簡単な説明】
【００３４】
【図１】本発明の第１の実施の形態に係る電子機器を示す斜視図である。
【図２】本発明の第１の実施の形態に係る電子機器の内部構成を示す分解斜視図である。
【図３】本発明の第１の実施の形態に係る電子機器の構成を示す概略図である。
【図４】本発明の第２の実施の形態に係る電子機器の構成を示す概略図である。
【符号の説明】
【００３５】
１０…電源スイッチ、１１…ＵＳＢ端子、１２…イヤホン端子、１２Ａ…イヤホン、１３…操作部、１４…表示部、１４Ａ…ＬＣＤ、１４ａ…コネクタ、１４ｂ…コネクタ、１４ｃ…フレキシブル配線板、２０…メイン基板、２０ａ…コネクタ、２０ｂ…コネクタ、２１…ＣＰＵ、２２…ＲＡＭ、２３…ＲＯＭ、２４…表示制御部、２５…Ｉ／Ｆ部、２６…音声処理部、２７…操作制御部、３０…サブ基板、３１…ＮＡＮＤメモリ、３１Ａ…ＮＡＮＤメモリ、３１Ｂ…コンパクトフラッシュ（登録商標）、３２…メモリ制御部、３２Ａ…メモリ制御部、３２Ｂ…メモリ制御部、４０…フレキシブル配線板、５０…バッテリ、５０ａ…コネクタ、５０ｂ…コネクタ、１００…電子機器、１００Ａ…上部筐体、１００Ｂ…下部筐体、１００Ｃ…フレーム
【図１】
2009048392.tif 000003
【図２】
2009048392.tif 000004
【図３】
2009048392.tif 000005
【図４】
2009048392.tif 000006